(57)【要約】【課題】孔版原紙がカッタにて切断された後においても、孔版原紙が搬送経路上から外れることを防止する。【解決手段】孔版原紙に対して加熱穿孔するサーマルヘッド６７と、サーマルヘッド６７に対して送風するファン７４と、搬送経路上におけるサーマルヘッド６７より下流側に設けられ、加熱穿孔された孔版原紙を切断するカッタ部材６８と、搬送経路上におけるカッタ部材６８より下流側に設けられ、孔版原紙の上下方向からローラが圧接しながら回転することにより孔版原紙を搬送する第１フィードローラ６９と、サーマルヘッド６７により加熱穿孔が開始されたときに、ファン７４に送風を開始させ、第１フィードローラ６９により搬送された孔版原紙がカッタ部材６８により切断されたときに、ファン７４に送風を停止させる制御部２０とを備える。【選択図】図３
2012125994.tif 000002
【特許請求の範囲】
【請求項１】
搬送経路上を搬送される孔版原紙に対して加熱穿孔するサーマルヘッドと、
前記サーマルヘッドに対して送風するファンと、
前記搬送経路上における前記サーマルヘッドより下流側に設けられ、加熱穿孔された孔版原紙を切断するカッタと、
前記搬送経路上における前記カッタより下流側に設けられ、前記孔版原紙の上下方向からローラが圧接しながら回転することにより前記孔版原紙を搬送する搬送手段と、
前記サーマルヘッドにより加熱穿孔が開始されたときに、前記ファンに送風を開始させ、前記搬送手段により搬送された孔版原紙が前記カッタにより切断されたときに、前記ファンに送風を停止させる制御手段と、
を備えたことを特徴とする製版装置。
【請求項２】
前記搬送経路上における前記搬送手段より下流側に設けられ、前記搬送された孔版原紙の先端を検出する孔版原紙検出手段と、を更に備え、
前記制御手段は、さらに、
前記カッタにより切断された前記搬送経路上における上流側の孔版原紙が前記搬送手段により搬送され、搬送された孔版原紙の先端が前記孔版原紙検出手段によって検出されたときに、前記ファンに送風を再開させる
ことを特徴とする請求項１記載の製版装置。
【請求項３】
搬送経路上を搬送される孔版原紙に対して加熱穿孔するサーマルヘッドと、
前記サーマルヘッドに対して送風するファンと、
前記搬送経路上における前記サーマルヘッドより下流側に設けられ、加熱穿孔された孔版原紙を切断するカッタと、
前記搬送経路上における前記カッタより下流側に設けられ、前記孔版原紙の上下方向からローラが圧接しながら回転することにより前記孔版原紙を搬送する搬送手段と、
前記搬送経路上における前記搬送手段より下流側に設けられ、前記搬送された孔版原紙の先端を検出する孔版原紙検出手段と、
前記カッタにより切断された前記搬送経路上における上流側の孔版原紙が前記搬送手段により搬送され、搬送された孔版原紙の先端が前記孔版原紙検出手段によって検出されたときに、前記ファンに送風を開始させる制御手段と、
を備えたことを特徴とする製版装置。
【発明の詳細な説明】
【技術分野】
【０００１】
本発明は、孔版原紙の製版を行う製版装置に関する。
【背景技術】
【０００２】
一般的に、孔版印刷装置に搭載され、ロール状に巻装された孔版原紙を搬送しつつ、画像データに基づいて、サーマルヘッドが加熱穿孔することにより製版する製版装置が良く知られている（例えば、特許文献１参照）。具体的には、製版装置は、搬送経路上に設けられた搬送ローラが長尺状の孔版原紙を搬送しながら、読み取られた画像データに基づき、サーマルヘッドの各点状発熱体が選択的に発熱動作することにより孔版原紙に感熱穿孔して製版し、この製版された孔版原紙をカッタで切断して所定長さの孔版原紙を作製する。
【０００３】
また、特許文献２には、インクが塗布されたインクシートを加熱して記録用紙に転写するサーマルヘッドと、このサーマルヘッドの蓄熱を放熱させるファンとを備えた熱記録装置が提案されている。
【先行技術文献】
【特許文献】
【０００４】
【特許文献１】特開２００２−１９２４７号公報
【特許文献２】特開平６−１５９２２号公報
【発明の概要】
【発明が解決しようとする課題】
【０００５】
しかしながら、特許文献１に記載の製版装置に、特許文献２に記載の熱記録装置の技術を適用して、サーマルヘッドの蓄熱を放熱させるファンを設けた場合、感熱穿孔された孔版原紙はカッタにて切断されるので、ファンの送風により孔版原紙の先端が搬送経路から外れてしまう場合があった。
【０００６】
このように、孔版原紙の先端が搬送経路から外れてしまった場合、次回製版時に、利用者が孔版原紙を搬送経路に戻す必要があるので、利用者にとってこの作業が煩わしかった。
【０００７】
本発明は、上記課題に鑑みてなされたものであり、孔版原紙がカッタにて切断された後においても、孔版原紙が搬送経路上から外れることを防止する製版装置を提供することを目的とする。
【課題を解決するための手段】
【０００８】
上記目的を達成するため、本発明に係る製版装置の第１の特徴は、搬送経路上を搬送される孔版原紙に対して加熱穿孔するサーマルヘッドと、前記サーマルヘッドに対して送風するファンと、前記搬送経路上における前記サーマルヘッドより下流側に設けられ、加熱穿孔された孔版原紙を切断するカッタと、前記搬送経路上における前記カッタより下流側に設けられ、前記孔版原紙の上下方向からローラが圧接しながら回転することにより前記孔版原紙を搬送する搬送手段と、前記サーマルヘッドにより加熱穿孔が開始されたときに、前記ファンに送風を開始させ、前記搬送手段により搬送された孔版原紙が前記カッタにより切断されたときに、前記ファンに送風を停止させる制御手段と、を備えたことにある。
【０００９】
本発明に係る製版装置の第２の特徴は、前記制御手段は、前記搬送経路上における前記搬送手段より下流側に設けられ、前記搬送された孔版原紙の先端を検出する孔版原紙検出手段と、を更に備え、前記制御手段は、さらに、前記カッタにより切断された前記搬送経路上における上流側の孔版原紙が前記搬送手段により搬送され、搬送された孔版原紙の先端が前記孔版原紙検出手段によって検出されたときに、前記ファンに送風を再開させることにある。
【００１０】
本発明に係る製版装置の第３の特徴は、搬送経路上を搬送される孔版原紙に対して加熱穿孔するサーマルヘッドと、前記サーマルヘッドに対して送風するファンと、前記搬送経路上における前記サーマルヘッドより下流側に設けられ、加熱穿孔された孔版原紙を切断するカッタと、前記搬送経路上における前記カッタより下流側に設けられ、前記孔版原紙の上下方向からローラが圧接しながら回転することにより前記孔版原紙を搬送する搬送手段と、前記搬送経路上における前記搬送手段より下流側に設けられ、前記搬送された孔版原紙の先端を検出する孔版原紙検出手段と、前記カッタにより切断された前記搬送経路上における上流側の孔版原紙が前記搬送手段により搬送され、搬送された孔版原紙の先端が前記孔版原紙検出手段によって検出されたときに、前記ファンに送風を開始させる制御手段とを備えたことにある。
【発明の効果】
【００１１】
本発明に係る製版装置によれば、孔版原紙がカッタにて切断された後においても、孔版原紙が搬送経路上から外れることを防止することができる。
【図面の簡単な説明】
【００１２】
【図１】本発明の一実施形態である製版装置が適用された両面孔版印刷装置の構成を示した構成図である。
【図２】本発明の一実施形態である製版装置の構成を詳細に説明した図である。
【図３】本発明の一実施形態に係る製版装置の機能構成を示した機能構成図である。
【図４】従来技術である製版装置における製版処理を示したタイミングチャートである。
【図５】従来技術である製版装置における製版処理を実行した場合の孔版原紙の動きを説明した図である。
【図６】本発明の一実施形態である製版装置における製版処理を示したタイミングチャートである。
【発明を実施するための形態】
【００１３】
本発明を実施するための形態について以下に説明する。
【００１４】
本発明の一実施形態では、両面印刷が可能な２ドラム式の両面孔版印刷装置に適用された製版装置を例に挙げて説明する。
【００１５】
＜両面孔版印刷装置の構成＞
本発明の一実施形態である製版装置が適用された両面孔版印刷装置の構成について説明する。
【００１６】
図１は、本発明の一実施形態である製版装置が適用された両面孔版印刷装置の構成を示した構成図である。
【００１７】
図１に示すように、両面孔版印刷装置１は、画像読み取り部２と、給紙部３と、第１の印刷部４と、第２の印刷部５と、製版装置６と、第１の排版部８と、第２の排版部９と、反転貯留部１０と、排紙部１１とを備えている。
【００１８】
画像読み取り部２は、両面孔版印刷装置１の上部に設けられ、図示しないコンタクトガラス上に載置された原稿から画像データを読み取る。
【００１９】
製版装置６は、画像読み取り部２により読み取られた画像データに基づいて製版を行う。
【００２０】
また、製版装置６は、図示しないレールによって図１におけるＸ方向に移動自在に支持されており、孔版原紙Ｇを供給する破線で示した位置と、後述する第２の印刷部５に製版した孔版原紙Ｇを供給する実線で示した位置とを選択的に占める。
【００２１】
第１の排版部８は、後述する第１の印刷部４の第１のドラム４１の外周面よりクランプ解除された孔版原紙Ｇを第１のドラム４１より引き剥がし、引き剥がされた孔版原紙Ｇを排版ボックス（図示しない）内に収納する。また、第２の排版部９は、第１の排版部８と同様の構成を有する。
【００２２】
給紙部３は、印刷用紙Ｗが積層される給紙台３１と、この給紙台３１から最上位置の印刷用紙Ｗのみを搬送させる１次給紙ロール３２と、この１次給紙ロール３２によって搬送された印刷用紙Ｗを後述する第１の印刷部４の第１のドラム４１の回転に同期して第１のドラム４１と第１のプレスローラ４３間に搬送する一対の２次給紙ロール３３とを有する。
【００２３】
第１の印刷部４は、メインモータ（図示しない）の駆動力によって図１の矢印Ａ方向に回転する第１のドラム４１と、この第１のドラム４１の外周面に設けられ、孔版原紙Ｇの先端をクランプする原紙クランプ部４２とを備えている。
【００２４】
また、第１の印刷部４は、第１のドラム４１の基準位置を検出する基準位置検出部４６と、メインモータの回転に応じて定周期でパルス信号を出力するロータリエンコーダ（図示しない）を備えており、基準位置検出部４６により検出された基準位置信号を基にロータリエンコーダのパルス信号を検出することによって第１のドラム４１の回転位置を検出することができるようになっている。
【００２５】
また、第１の印刷部４は、印刷用紙Ｗを反転貯留部１０へ搬送する搬送ベルト４４と、第１のドラム４１の下方位置に配置された第１のプレスローラ４３とを備えている。
【００２６】
そして、第１のドラム４１の回転に同期して給紙部３より給紙される印刷用紙Ｗを第１のプレスローラ４３で第１のドラム４１に着版された第１の孔版原紙に押圧することによって、第１の孔版原紙の穿孔からインクが押し出されて画像が印刷用紙Ｗの表面に印刷されるようになっている。
【００２７】
第１のプレスローラ４３が第１のドラム４１に押圧することによって画像が印刷された印刷用紙Ｗは、両端が一対の回転軸に巻きかけられた環状の搬送ベルト４４によって反転貯留部１０に搬送される。
【００２８】
反転貯留部１０は、第１の印刷部４に対して印刷用紙Ｗの搬送方向下流側に配置され、多孔構造に形成された環状の反転ベルト１０１が半円形状に配置されている。この反転ベルト１０１は、半円形状の補助部材１０２と一対のローラ１０３，１０４に巻きかけられ、一対のローラ１０３，１０４のうち少なくとも一方のローラが駆動モータ（不図示）で回転駆動される。この反転貯留部１０により印刷用紙Ｗの表裏が反転され、積載台１０６に印刷用紙Ｗを搬送される。
【００２９】
第２の印刷部５は、第１の印刷部４と同様に、図１の矢印Ａ方向に回転する第２のドラム５１と、この第２のドラム５１の外周面に設けられ、第２の孔版原紙の先端をクランプする原紙クランプ部５２と、第２のドラム５１の下方位置に配置された第２のプレスローラ５３と、反転貯留部１０により反転された印刷用紙Ｗを第２のドラム５１の回転に同期して第２のドラム５１と第２のプレスローラ５３間に搬送する一対の２次給紙ロール５４と、原紙クランプ部５２にクランプされた孔版原紙Ｇの先端の一部を検出する第２の検出部５５とを有している。
【００３０】
そして、第２の印刷部５は、第１の印刷部４と同様に、第２のドラム５１の回転に同期して一対の２次給紙ロール５４より給紙される印刷用紙Ｗを第２のプレスローラ５３で第２のドラム５１に着版された孔版原紙Ｇに押圧することによって、孔版原紙Ｇの穿孔からインクが押し出されて画像が印刷用紙Ｗの裏面に印刷されるようになっている。
【００３１】
排紙部１１は、印刷された印刷用紙Ｗが搬送される排紙ベルト１１１と、排紙ベルト１１１より排紙される印刷用紙Ｗが積置される排紙台１１２と、積載台１０６に複数枚積載された印刷用紙Ｗを搬出する中間搬送ベルト１１３と、中間搬送ベルト１１３により搬出された印刷用紙Ｗを第２の印刷部５に搬送する一対のローラ１１５とを有する。
【００３２】
＜製版装置６の構成＞
図２は、本発明の一実施形態である製版装置６の構成を詳細に説明した図である。
【００３３】
図２に示すように、製版装置６では、孔版原紙Ｇを巻回した円環筒状の孔版原紙ロール６１が孔版原紙Ｇの巻回径に応じて変化する角速度でＢ方向に回転自在にマスターホルダー６２内に支持されていると共に、この孔版原紙ロール６１がマスターホルダー６２に対して着脱可能に支持されている。ここで、孔版原紙Ｇは、例えば、格子状のプラスチックメッシュ上に感熱フィルムが貼り合わされたスクリーンマスター原紙や、和紙上に感熱フィルムが貼り合わされた和紙マスター原紙等が用いられる。
【００３４】
また、孔版原紙ロール６１より下流には、第１，第２ガイドシャフト６３，６４と、プラテン用パルスモータ６５によってＣ方向に所定の一定速度で回転駆動されるプラテンローラ６６と、複数の発熱体６７ａが紙面垂直方向に一列に配列されてプラテンローラ６６に対して不図示の押圧機構を介して接離自在であり、孔版原紙Ｇに圧接しながら画像データに基づいて感熱穿孔するサーマルヘッド６７と、サーマルヘッド６７を冷却するために送風するファン７４と、製版された孔版原紙Ｇを後述する第１の印刷部４に備えられた第１のドラム４１又は第２の印刷部５に備えられた第２のドラム５１の円周長以下に設定された１版分の長さで切断する上下一対のカッタ部材６８と、プラテン用パルスモータ６５を共用して回転駆動される上下一対の第１フィードローラ６９と、製版された孔版原紙Ｇを一時的に溜める孔版原紙溜め箱７０と、製版された孔版原紙Ｇの搬送状態を検出する孔版原紙搬送検出センサ７１と、上下一対の第２フィードローラ７２と、上下一対の第３フィードローラ７３とが孔版原紙Ｇの搬送経路に沿いながら第１の印刷部４又は第２の印刷部５側に向かって上記順に設けられている。
【００３５】
第１，第２，第３フィードローラ６９，７２，７３により搬送された孔版原紙Ｇは、第１のドラム４１の原紙クランプ部４２により先端がクランプされる（挟み込まれる）。
【００３６】
そして、孔版原紙Ｇは、クランプされた状態で第１のドラム４１がＡ方向に回転することにより、第１のドラム４１表面に着版され、所定の位置まで第１のドラム４１が回転したとき、上下一対のカッタ部材６８が、孔版原紙Ｇを切断する。
【００３７】
なお、上下一対の第１，第２，第３フィードローラ６９，７２，７３は、各下側の駆動ローラに対して各上側の従動ローラが接離自在になっている。また、第１フィードローラ６９はプラテン用パルスモータ６５を共用しており、第２，第３フィードローラ７２，７３は、フィードローラ用パルスモータ７５を共用している。
【００３８】
また、上下一対のカッタ部材６８から上下一対の第３フィードローラ７３までの孔版原紙Ｇの搬送経路中では、図示とは異なって各部品が接近して配置されているので孔版原紙Ｇの剛性により孔版原紙Ｇを搬送経路に沿って確実に走行させることができるが、各部品の間隔が離れている場合には必要に応じて孔版原紙Ｇの搬送を案内する案内板（図示せず）を設置しても良い。
【００３９】
＜製版装置６の機能構成＞
図３は、本発明の一実施形態に係る製版装置６の機能構成を示した機能構成図である。
【００４０】
図３に示すように、本発明の一実施形態に係る製版装置６は、操作部１５と、制御部２０と、ファン７４と、サーマルヘッド６７と、カッタ部材６８と、プラテン用パルスモータ６５と、孔版原紙搬送検出センサ７１と、フィードローラ用パルスモータ７５とを備えている。
【００４１】
これらの構成のうち、ファン７４と、カッタ部材６８と、プラテン用パルスモータ６５と、孔版原紙搬送検出センサ７１と、フィードローラ用パルスモータ７５とについては、上述したので、説明を省略する。
【００４２】
図３に示すように、サーマルヘッド６７には、サーマルヘッド本体の温度を測定するサーマル温度センサ６７ｂが備えられている。
【００４３】
操作部１５は、製版等を開始させるためのスタートキー、製版等を停止させるためのストップキー（いずれも図示せず）等の各種操作キーとを備え、利用者操作に基づく操作信号を制御部２０に供給する。
【００４４】
また、操作部１５は、表示／入力パネル１５ａを備えており、表示／入力パネル１５ａは、前面に配置された感圧式あるいは静電式の透明なタッチパネルと、このタッチパネルの裏面に配置され、各種表示画面を表示する液晶表示パネル（いずれも図示せず）とを有している。利用者は、液晶表示パネルの表示画面を見ながら、タッチパネルの表面を指などで直接触れることで、各種ボタンの押下操作を行うことができる。また、操作部１５は、制御部２０の指示に基づいて、様々なメッセージの表示を行う。
【００４５】
制御部２０は、製版装置６の中枢的な制御を行う。例えば、制御部２０は、製版装置６の制御部２０は、サーマルヘッド６７により加熱穿孔が開始されたときに、ファン７４に送風を開始させ、カッタ部材６８により孔版原紙Ｇが切断されると、ファン７４に送風を一時停止させるように制御する。
【００４６】
また、制御部２０は、切断された孔版原紙Ｇの先端が、第１フィードローラ６９を通り、孔版原紙搬送検出センサ７１に検出されると、再度、ファン７４に送風を開始させるように制御する。
【００４７】
＜製版装置６の作用＞
本発明の一実施形態である製版装置６の作用について説明する前に、まず、従来技術である製版装置における作用について説明する。
【００４８】
図４は、従来技術である製版装置における製版処理を示したタイミングチャートである。
【００４９】
図４に示すように、ｔ１時点において、サーマルヘッド６７は、押圧機構によりプラテンローラ６６に対して加圧され、これにより孔版原紙Ｇに圧接される。
【００５０】
ｔ３時点において、プラテン用パルスモータ６５が駆動開始することにより、プラテンローラ６６と第１フィードローラ６９とが回転駆動する。これにより搬送経路上を孔版原紙Ｇが搬送され、ｔ５時点において、フィードローラ用パルスモータ７５が駆動開始することにより、第２，第３フィードローラ７２，７３が回転駆動する。これにより、第１のドラム４１又は第２のドラム５１へ孔版原紙Ｇが搬送され、第１のドラム４１又は第２のドラム５１の表面に着版される。
【００５１】
また、同じくｔ５時点において、サーマルヘッド６７は、画像読み取り部２により読み取られた画像データに基づいて感熱穿孔を開始すると共に、ファン７４がサーマルヘッド６７に対して送風を開始する。
【００５２】
さらに、孔版原紙Ｇは、クランプされた状態で第１のドラム４１が回転して、所定の位置まで第１のドラム４１が回転したｔ７時点において、上下一対のカッタ部材６８が、孔版原紙Ｇを切断開始する。
【００５３】
また、カッタ部材６８が、孔版原紙Ｇを切断開始したｔ７時点において、サーマルヘッド６７は、感熱穿孔を停止すると共に、プラテン用パルスモータ６５及びフィードローラ用パルスモータ７５も駆動を停止する。
【００５４】
このとき、切断された孔版原紙Ｇの先端は、どの部品にも圧接していないので、ファン７４からの送風により、搬送経路から外れてしまう場合があった。
【００５５】
図５は、従来技術である製版装置における製版処理を実行した場合の孔版原紙の動きを説明した図である。
【００５６】
図５（ａ）に示すように、サーマルヘッド６７が感熱穿孔を開始すると、ファン７４がサーマルヘッド６７に対して送風を開始する。そうすると、ファン７４に送風された風の一部が図中の矢印Ｆに示すように、サーマルヘッド６７を回り込み、孔版原紙Ｇに吹き付ける場合がある。
【００５７】
そして、カッタ部材６８により孔版原紙Ｇを切断されると、切断された孔版原紙Ｇの先端は、どの部品にも圧接されていないので、図５（ｂ）に示すように、ファン７４からの送風に押圧される。
【００５８】
さらに、孔版原紙Ｇは、図５（ｃ）に示すように、ファン７４からの風を受け、孔版原紙Ｇの先端が、プラテンローラ６６を回り込むように、搬送経路から外れてしまう。
【００５９】
このように、孔版原紙Ｇの先端が搬送経路から外れてしまった場合、次回製版時に、利用者が孔版原紙Ｇを搬送経路に戻す必要があるので、利用者にとってこの作業が煩わしかった。
【００６０】
そこで、本発明の一実施形態である製版装置６では、孔版原紙Ｇの先端が搬送経路から外れないように、ファン７４を制御する。具体的には、製版装置６の制御部２０は、サーマルヘッド６７により加熱穿孔が開始されたときに、ファン７４に送風を開始させ、カッタ部材６８により孔版原紙Ｇが切断されると、ファン７４に送風を一時停止させる。そして、カッタ部材６８により切断された搬送経路上における上流側の孔版原紙Ｇが第１フィードローラ６９により搬送され、搬送された孔版原紙Ｇの先端が、第１フィードローラ６９を通り、孔版原紙搬送検出センサ７１に検出されると、再度、ファン７４に送風を開始させるように制御する。
【００６１】
図６は、本発明の一実施形態である製版装置６における製版処理を示したタイミングチャートである。ここで、ｔ１時点〜ｔ７時点までのサーマルヘッド６７、プラテン用パルスモータ６５、フィードローラ用パルスモータ７５、カッタ部材６８の動作については、図４のタイミングチャートに示したそれぞれの動作と同一であるので、説明を省略する。
【００６２】
本発明の一実施形態である製版装置６では、図６に示すように、ｔ９時点において、カッタ部材６８により孔版原紙Ｇが切断が完了すると、ファン７４に送風を一時停止させる。これにより、ファン７４に送風された風の一部がサーマルヘッド６７を回り込み、孔版原紙Ｇに吹き付けることを防止することができる。
【００６３】
また、孔版原紙Ｇの切断が完了したｔ９時点において、フィードローラ用パルスモータ７５の駆動が開始することにより、第２，第３フィードローラ７２，７３が回転駆動する。これにより、第１のドラム４１又は第２のドラム５１へ孔版原紙Ｇが搬送され、ｔ１１時点において、孔版原紙搬送検出センサ７１により、搬送された孔版原紙Ｇの検出状態がオンからオフに切り替わる、即ち、孔版原紙Ｇの後端が検出される。
【００６４】
そして、孔版原紙搬送検出センサ７１により、孔版原紙Ｇの後端が検出された後、所定時間が経過したｔ１３時点において、搬送経路上から孔版原紙Ｇが第１のドラム４１又は第２のドラム５１へ搬送されるので、フィードローラ用パルスモータ７５の駆動を停止する。これにより、第２，第３フィードローラ７２，７３の回転駆動が停止する。
【００６５】
一方、ｔ１３時点において、切断された孔版原紙ロール６１側の孔版原紙Ｇを搬送経路上で搬送するため、プラテン用パルスモータ６５が駆動開始する。これにより、プラテンローラ６６と第１フィードローラ６９とが回転駆動し、搬送経路上を孔版原紙Ｇが搬送される。
【００６６】
そして、搬送された孔版原紙Ｇの先端は、第１フィードローラ６９を通り、ｔ１５時点において、孔版原紙搬送検出センサ７１により、搬送された孔版原紙Ｇの検出状態がオフからオンに切り替わる、即ち、孔版原紙Ｇの先端が検出されると、再度、ファン７４に送風を開始させる。
【００６７】
これにより、孔版原紙Ｇの先端が、第１フィードローラ６９により圧接されていないｔ９時点からｔ１５時点までの間、ファン７４の送風は停止しているので、孔版原紙Ｇの先端が搬送経路から外れてしまうことを防止することができる。
【００６８】
以上のように、本発明の一実施形態である製版装置６によれば、サーマルヘッド６７により加熱穿孔が開始されたときに、ファン７４に送風を開始させ、カッタ部材６８により孔版原紙Ｇが切断されると、ファン７４に送風を一時停止させ、切断された孔版原紙Ｇの先端が、第１フィードローラ６９を通り、孔版原紙搬送検出センサ７１に検出されると、再度、ファン７４に送風を開始させるように制御するので、孔版原紙Ｇの先端が搬送経路から外れてしまうことを防止することができ、これにより、次回製版時に、利用者が孔版原紙を搬送経路に戻す作業を行うことなく、製版を行うことができる。
【００６９】
なお、本発明の一実施形態である製版装置６では、製版装置６内に備えられた各機器を制御する制御部２０を備える構成としたが、これに限らず、両面孔版印刷装置１を制御する制御部と共通の制御部として備える構成としてもよい。
【００７０】
また、本発明の一実施形態では、孔版原紙Ｇが着版された上流側のドラムにより印刷用紙Ｗの表面を印刷し、孔版原紙Ｇが着版された下流側のドラムにより印刷用紙Ｗの裏面を印刷する２ドラム式の両面孔版印刷装置１に適用された製版装置６を例に挙げて説明したが、１ドラム式の両面孔版印刷装置や、１ドラム式の片面孔版印刷装置に適用することもできる。
【符号の説明】
【００７１】
１…両面孔版印刷装置
６…製版装置
１５…操作部
１５ａ…表示／入力パネル
２０…制御部
６１…孔版原紙ロール
６２…マスターホルダー
６３…第２ガイドシャフト
６５…プラテン用パルスモータ
６６…プラテンローラ
６７…サーマルヘッド
６７ａ…発熱体
６７ｂ…サーマル温度センサ
６８…カッタ部材
６９…第１フィードローラ（搬送手段）
７０…孔版原紙溜め箱
７１…孔版原紙搬送検出センサ
７２…第２フィードローラ
７３…第３フィードローラ
７４…ファン
７５…フィードローラ用パルスモータ
【図１】
2012125994.tif 000003
【図２】
2012125994.tif 000004
【図３】
2012125994.tif 000005
【図４】
2012125994.tif 000006
【図５】
2012125994.tif 000007
【図６】
2012125994.tif 000008